(57)【要約】【課題】ダビングなどの処理が途中で中断された場合に、処理途中のタイトルの有無をフォルダにより分かり易く通知することが可能なフォルダ管理装置を提供すること。【解決手段】フォルダ管理装置は、ダビング予定タイトル又はダビング中断タイトルの発生に対応して、前記ダビング予定タイトル又は前記ダビング中断タイトルが属するダビング待ちフォルダを生成する生成手段と、タイトル一覧及びダビング待ちフォルダを含む画面を表示するための表示情報を出力する出力手段と、を備えている。【選択図】図６
2011034616.tif 000002
【特許請求の範囲】
【請求項１】
ダビング予定タイトル又はダビング中断タイトルの発生に対応して、前記ダビング予定タイトル又は前記ダビング中断タイトルが属するダビング待ちフォルダを生成する生成手段と、
タイトル一覧及びダビング待ちフォルダを含む画面を表示するための表示情報を出力する出力手段と、
を備えたフォルダ管理装置。
【請求項２】
前記画面は、システムフォルダを含むことを特徴とする請求項１に記載のフォルダ管理装置。
【請求項３】
前記画面は、前記システムフォルダに隣接した前記ダビング待ちフォルダを含むことを特徴とする請求項１に記載のフォルダ管理装置。
【請求項４】
前記システムフォルダは、削除タイトルを一時的に格納するためのゴミ箱フォルダであることを特徴とする請求項１に記載のフォルダ管理装置。
【請求項５】
前記ダビング予定タイトル又は前記ダビング中断タイトルが無くなったことに対応して、前記ダビング待ちフォルダを削除する削除手段を備えたことを特徴とする請求項１に記載のフォルダ管理装置。
【請求項６】
編集中断タイトルの発生に対応して、前記編集中断タイトルが属する編集待ちフォルダを生成する生成手段と、
タイトル一覧及び編集待ちフォルダを含む画面を表示するための表示情報を出力する出力手段と、
を備えたフォルダ管理装置。
【請求項７】
ダビング予定タイトル又はダビング中断タイトルの発生に対応して、前記ダビング予定タイトル又は前記ダビング中断タイトルが属するダビング待ちフォルダを生成し、
タイトル一覧及びダビング待ちフォルダを含む画面を表示するための表示情報を出力するフォルダ管理方法。
【発明の詳細な説明】
【技術分野】
【０００１】
本発明は、ＤＶＤ及びＨＤＤなどに記録されたタイトルをフォルダで管理するフォルダ管理装置及びフォルダ管理方法に関する。
【背景技術】
【０００２】
ＤＶＤ及びＨＤＤなどにタイトルを記録することが可能なレコーダが普及している。例えば、このようなレコーダは、ＨＤＤに記録されたタイトルをＤＶＤへダビングするダビング機能も備えている。近年では、このダビング機能向上が求められている。
【０００３】
例えば、レコーダが、ＨＤＤに記録されたタイトルの符号化レートを変更し、符号化レート変更済みタイトルをＤＶＤへダビングする場合、ＤＶＤドライブの占有時間が長くなり、またユーザのダビング体感時間が長くなる傾向にある。そこで、レコーダは、空き時間に、ＨＤＤに記録されたダビング指定のタイトルの符号化レートを変更し、符号化レート変更済みタイトルをＨＤＤに記録しておき、ダビング開始指示の入力に対応してＨＤＤに記録された符号化レート変更済みのデータをＤＶＤへ記録する（特許文献１参照）。これにより、ＤＶＤドライブの占有時間を減少するとともに、ユーザのダビング体感時間も減少させることができる。
【先行技術文献】
【特許文献】
【０００４】
【特許文献１】特開２００７−２４３４１４
【発明の概要】
【発明が解決しようとする課題】
【０００５】
また、上記したダビング時間の問題だけでなく、ダビング中断時の対応についても改善が求められている。例えば、ダビングが中断された場合、ダビングが完了していないタイトルが存在することになるが、このダビングが完了していないタイトルの有無をユーザは簡単に把握することができず、不便である。
【０００６】
本発明の目的は、ダビングなどの処理が途中で中断された場合に、処理途中のタイトルの有無をフォルダにより分かり易く通知することが可能なフォルダ管理装置及びフォルダ管理方法を提供することにある。
【課題を解決するための手段】
【０００７】
本発明の一実施形態に係るフォルダ管理装置は、ダビング予定タイトル又はダビング中断タイトルの発生に対応して、前記ダビング予定タイトル又は前記ダビング中断タイトルが属するダビング待ちフォルダを生成する生成手段と、タイトル一覧及びダビング待ちフォルダを含む画面を表示するための表示情報を出力する出力手段と、を備えている。
【０００８】
本発明の一実施形態に係るフォルダ管理方法は、ダビング予定タイトル又はダビング中断タイトルの発生に対応して、前記ダビング予定タイトル又は前記ダビング中断タイトルが属するダビング待ちフォルダを生成し、タイトル一覧及びダビング待ちフォルダを含む画面を表示するための表示情報を出力する。
【発明の効果】
【０００９】
本発明によれば、ダビングなどの処理が途中で中断された場合に、処理途中のタイトルの有無をフォルダにより分かり易く通知することが可能なフォルダ管理装置及びフォルダ管理方法を提供できる。
【図面の簡単な説明】
【００１０】
【図１】ダビングの手順を説明するとともに、ダビング待ちフォルダ表示画面の一例を示す図である。
【図２】ダビング待ちフォルダ非表示の一例を示す図である。
【図３Ａ】中止／中断が発生することなくレート変換ダビング（画質指定ダビング）及び高速ダビングが完了するケースを示す図である。
【図３Ｂ】レート変換ダビング中に中止／中断が発生するケースを示す図である。
【図３Ｃ】中止／中断が発生することなくレート変換ダビングが完了し、高速ダビング中に中止／中断が発生するケースを示す図である。
【図４】ダビング処理の一例を示すフローチャートである。
【図５】ダビング待ちフォルダの表示／非表示処理の一例を示すフローチャートである。
【図６】本発明の一実施形態に係る映像記録再生装置（フォルダ管理装置）の概略構成を示すブロック図である。
【図７】タイトル又はチャプター編集の手順を説明するとともに、編集待ちフォルダ表示画面の一例を示す図である。
【発明を実施するための形態】
【００１１】
以下、図面を参照し、本発明の実施形態について説明する。
【００１２】
図６は、本発明の一実施形態に係る映像記録再生装置（フォルダ管理装置）の概略構成を示すブロック図である。
【００１３】
図６に示すように、映像記録再生装置１は、ユーザ操作入力部１０１、信号受光部１０２、制御モジュール１０４、チューナ部１０５、ＯＳＤ制御モジュール１０７、録画再生信号処理モジュール１０８、合成出力処理モジュール１０９、ディスクドライブ部１１１、ハードディスクドライブ部１１２を備えている。
【００１４】
さらに、制御モジュール１０４は、ダビングモード判定モジュール１０４１、ダビング処理モジュール１０４２、ダビング待ちフォルダ生成モジュール１０４３、ダビング待ちフォルダ表示／非表示処理モジュール１０４４、ダビング待ちフォルダ表示位置判断処理モジュール１０４５、ダビング待ちファイル格納処理モジュール１０４６を備えている。
【００１５】
チューナ部１０５は、指定されたチャンネルの放送信号を選択し、選択した放送信号を録画再生信号処理モジュール１０８へ入力する。録画処理が指定されている場合には、録画再生信号処理モジュール１０８は、放送信号に対応した映像信号及び音声信号をディスクドライブ部１１１又はハードディスクドライブ部１１２へ入力する。ディスクドライブ部１１１は、入力された映像信号及び音声信号を光ディスクへ記録する。或いは、ハードディスクドライブ部１１２は、入力された映像信号及び音声信号をハードディスクへ記録する。再生処理が指定されている場合には、録画再生信号処理モジュール１０８は、放送信号に対応した映像信号及び音声信号を、合成出力処理モジュール１０９を介して、モニター２へ出力する。
【００１６】
続いて、図１、図２、図４を参照し、リモートコントローラ１０２ａによるダビング処理の一例について説明する。なお、本実施形態では、リモートコントローラ１０２ａによるダビング処理について説明するが、ユーザ操作入力部１０１によりダビング処理を実行することもできる。
【００１７】
ダビング指定操作に対応して、リモートコントローラ１０２ａは、ダビングを指定するための制御信号を送信し、信号受光部１０２は、リモートコントローラ１０２ａから送信された制御信号を受信し、受信した制御信号に応じた情報を制御モジュール１０４へ通知する。これにより、制御モジュール１０４は、タイトル選択画面を表示するための表示情報をＯＳＤ制御モジュール１０７へ出力し、ＯＳＤ制御モジュール１０７は、この表示情報を合成出力処理モジュール１０９を介して、モニター２へ出力する。これにより、モニター２は、図１に示すタイトル選択画面Ｓ１１を表示する。
【００１８】
タイトル選択画面Ｓ１１は、例えば複数のタイトルを上段に表示し、これら複数のタイトルの中からリモートコントローラ１０２ａを介してダビング候補として選択されたダビング候補タイトルを下段に表示する。リモートコントローラ１０２ａを介して、ＨＤＤからＤＶＤへのダビングとダビングモードとが指定されると、制御モジュール１０４は、指定されたダビングモードで指定されたダビングを実行する（図１のＳＴ１０１）（図４のＳＴ３０１）。
【００１９】
例えば、ダビングモード判定モジュール１０４１によりレート無変換ダビングモードであると判定されると（ＳＴ３０２、ＮＯ）、ダビング処理モジュール１０４２は、レートを変換することなく、ＨＤＤのダビング候補タイトルをＤＶＤへ高速ダビングする（ＳＴ３０３）。高速ダビング終了前に（ＳＴ３０４、ＮＯ）ダビングの中止／中断が発生すると（ＳＴ３０５）、ダビングが中止／中断される。再び、リモートコントローラ１０２ａを介してダビング再開が指定されると（ＳＴ３０６、ＹＥＳ）、ダビング処理モジュール１０４２は、高速ダビングが終了するまで、高速ダビングを継続する。なお、ダビングの中止は、主にユーザ操作によるもので、ダビングの中断は、主に停電によるものである。
【００２０】
また、ダビングによりダビング候補タイトルの著作権情報が変更されたり、ダビング候補タイトルが削除されたりする。例えば、ダビング候補タイトルの著作権情報に含まれたダビング可能回数が９を示している場合に、このダビング候補タイトルが１回ダビングされると、ダビング候補タイトルの著作権情報に含まれたダビング可能回数は８に変更される。また、ダビング候補タイトルの著作権情報に含まれたダビング可能回数が０を示している場合に、このダビング候補タイトルが１回ダビングされると、このダビング候補タイトルは削除される。
【００２１】
また、ダビングモード判定モジュール１０４１によりレート変換ダビングモードであると判定されると（ＳＴ３０２、ＮＯ）、ダビング処理モジュール１０４２は、ＨＤＤのダビング候補タイトルのレートを変換しＨＤＤへダビングする（ＳＴ３０７）。レート変換ダビング終了前に（ＳＴ３０８、ＮＯ）ダビングの中止／中断が発生すると（ＳＴ３１０）、ダビングが中止／中断される。再び、リモートコントローラ１０２ａを介してダビング再開が指定されると（ＳＴ３１２、ＹＥＳ）、ダビング処理モジュール１０４２は、レート変換ダビングが終了するまで、レート変換ダビングを継続する。
【００２２】
レート変換ダビングが終了すると（ＳＴ３０８、ＹＥＳ）、次に、ダビング処理モジュール１０４２は、ＨＤＤのレート変換済みのタイトルをＤＶＤへ高速ダビング（移動）する（ＳＴ３０９）。高速ダビング終了前に（ＳＴ３１１、ＮＯ）ダビングの中止／中断が発生すると（ＳＴ３１４、ＮＯ）、ダビング待ちフォルダ生成モジュール１０４３は、ダビング待ちフォルダを生成し、ダビング待ちファイル格納処理モジュール１０４６は、ＨＤＤのレート変換済みのタイトルをこのダビング待ちフォルダへ格納する（ＳＴ３１５）。
【００２３】
或いは、レート変換ダビングが終了すると（ＳＴ３０８、ＹＥＳ）、次に、ダビング待ちフォルダ生成モジュール１０４３は、ダビング待ちフォルダを生成し、ダビング待ちファイル格納処理モジュール１０４６は、ＨＤＤのレート変換済みのタイトルをこのダビング待ちフォルダへ格納する。続いて、ダビング処理モジュール１０４２は、ダビング待ちフォルダへ格納されたＨＤＤのレート変換済みのタイトルをＤＶＤへ高速ダビングする。高速ダビング終了前にダビングの中止／中断が発生すると、ダビング待ちフォルダ内にダビング待ちのＨＤＤのレート変換済みのタイトルが残る。
【００２４】
ここで、リモートコントローラ１０２ａによりダビングが中止される例について補足する。例えば、高速ダビング終了前に（ＳＴ３１１、ＮＯ）リモートコントローラ１０２ａを介してダビングの中止が指示されると、これに対応して制御モジュール１０４は、ダビング中止案内を表示するための表示情報をＯＳＤ制御モジュール１０７へ出力し、ＯＳＤ制御モジュール１０７は、この表示情報を合成出力処理モジュール１０９を介して、モニター２へ出力する。これにより、モニター２は、図１に示すダビング中止確認画面Ｓ１２を表示する。さらに、リモートコントローラ１０２ａを介してダビングの中止を受け入れる旨が選択されると（ＳＴ１０２）、これに対応して制御モジュール１０４はダビングの中止を指示し、ダビング処理モジュール１０４２はダビングを中止し、上記したように、ダビング待ちフォルダ生成モジュール１０４３が、ダビング待ちフォルダを生成し、ダビング待ちファイル格納処理モジュール１０４６は、ＨＤＤのレート変換済みのタイトルをこのダビング待ちフォルダへ格納する（ＳＴ１０３）。或いは、事前に生成されたダビング待ちフォルダ内にダビング待ちのＨＤＤのレート変換済みのタイトルが残る。
【００２５】
また、ダビング待ちフォルダ表示位置判断処理モジュール１０４５は、ダビング待ちフォルダの表示位置を判断し、ダビング待ちフォルダ表示／非表示処理モジュール１０４４は、ダビング待ちフォルダを所定位置へ表示する。例えば、ダビング待ちフォルダ表示／非表示処理モジュール１０４４は、タイトル一覧とともにダビング待ちフォルダを表示する。つまり、映像記録再生装置１の合成出力処理モジュール１０９は、タイトル一覧及びダビング待ちフォルダを含む画面を表示するための表示情報を出力する。これにより、モニター２は、図１に示すダビング待ちフォルダ表示画面Ｓ１３を表示する。例えば、このダビング待ちフォルダ表示画面Ｓ１３は、システムフォルダを含む画面であり、このダビング待ちフォルダ表示画面Ｓ１３の中で、ダビング待ちフォルダはシステムフォルダに隣接した位置に配置される。隣接位置の一例として、ダビング待ちフォルダはシステムフォルダの前後又は左右の配置でもよい。なお、システムフォルダは、例えば、削除タイトルを一時的に格納するためのゴミ箱フォルダである。
【００２６】
リモートコントローラ１０２ａを介して、ダビング待ちフォルダ表示画面Ｓ１３の中のダビング待ちフォルダが選択されると、これに対応して制御モジュール１０４は、ダビング待ちフォルダ内容画面を表示するための表示情報をＯＳＤ制御モジュール１０７へ出力し、ＯＳＤ制御モジュール１０７は、この表示情報を合成出力処理モジュール１０９を介して、モニター２へ出力する。これにより、モニター２は、図１に示すダビング待ちフォルダ内容画面Ｓ１４を表示する。
【００２７】
さらに、リモートコントローラ１０２ａを介して、ダビング待ちフォルダ内容画面Ｓ１４の中のダビング待ちタイトルのダビング再開が指定されると（ＳＴ３１６、ＹＥＳ）、ダビング処理モジュール１０４２は、ダビング待ちフォルダに格納されたダビング待ちタイトルの高速ダビング（移動）を再開する。そして、ダビング待ちフォルダに格納された全てのダビング待ちタイトルの高速ダビング（移動）が終了すると（ＳＴ３１１、ＹＥＳ）、ダビング処理モジュール１０４２は、ダビング待ちフォルダに格納された全てのダビング待ちタイトルを削除し、ダビング待ちフォルダ生成モジュール１０４３は、ダビング待ちフォルダを消去する（ＳＴ３１３）。或いは、ダビング待ちフォルダ表示／非表示処理モジュール１０４４は、ダビング待ちフォルダを非表示に制御する。
【００２８】
また、リモートコントローラ１０２ａを介して、ダビング待ちフォルダに格納された全てのダビング待ちタイトルが削除されたり（図２のタイトル削除確認画面Ｓ２１参照）、移動されたりしたとき（図２のタイトル移動画面Ｓ２２参照）（図２のＳＴ２０１）、つまりダビング待ちフォルダ内に格納されたタイトルが無くなると、ダビング待ちフォルダ生成モジュール１０４３は、ダビング待ちフォルダを消去する。或いは、ダビング待ちフォルダ表示／非表示処理モジュール１０４４は、ダビング待ちフォルダを非表示に制御する（ＳＴ２０２）（図２のタイトル一覧画面Ｓ２３参照）。
【００２９】
また、図３Ａ〜図３Ｃを参照し、ダビング待ちフォルダの生成、表示、及び非表示についてさらに説明する。図３Ａは、中止／中断が発生することなくレート変換ダビング（画質指定ダビング）及び高速ダビングが完了するケースを示す図である。例えば、図３Ａに示すように、映像記録再生装置１が、レート変換ダビングの開始に伴い、ダビング対象タイトルのレートを変換し、レート変換済みタイトルをＨＤＤへ記録する。このとき、ダビング対象タイトルの著作権情報が更新される（例えばコピー可能回数９→コピー可能回数８）。さらに、映像記録再生装置１は、ＨＤＤ上にダビング待ちフォルダを生成し、レート変換済みタイトル（コピーｘ）をダビング待ちフォルダへ格納する。また、映像記録再生装置１は、ダビング待ちフォルダに格納されたレート変換済みのタイトル（コピーｘ）をＤＶＤへ高速ダビング（移動）し、このダビング待ちフォルダの中の全てのタイトルのダビング完了（移動完了）により、このダビング待ちフォルダの中の全てのタイトルを削除し、ダビング待ちフォルダを削除する。或いは、ダビング待ちフォルダを非表示とする。
【００３０】
図３Ｂは、レート変換ダビング中に中止／中断が発生するケースを示す図である。例えば、図３Ｂに示すように、映像記録再生装置１が、レート変換ダビングの開始に伴い、ダビング対象タイトルのレートを変換し、レート変換済みタイトルをＨＤＤへ記録しているとき（レート変換ダビング中）に、中止／中断が発生すると、映像記録再生装置１は、この状態で、レート変換ダビングの再開を待つ。このケースでは、著作権情報は更新されない。
【００３１】
図３Ｃは、中止／中断が発生することなくレート変換ダビングが完了し、高速ダビング中に中止／中断が発生するケースを示す図である。例えば、図３Ｃに示すように、映像記録再生装置１が、レート変換ダビングの開始に伴い、ダビング対象タイトルのレートを変換し、レート変換済みタイトルをＨＤＤへ記録する。このとき、ダビング対象タイトルの著作権情報が更新される（例えばコピー可能回数９→コピー可能回数８）。さらに、映像記録再生装置１は、ＨＤＤ上にダビング待ちフォルダを生成し、レート変換済みタイトル（コピーｘ）をダビング待ちフォルダへ格納する。また、映像記録再生装置１は、このダビング待ちフォルダに格納されたレート変換済みのタイトル（コピーｘ）のＤＶＤへの高速ダビング（移動）を開始する。この高速ダビング（移動）中に中止／中断が発生すると、映像記録再生装置１は、ダビング途中のタイトルを含むダビング待ちフォルダを表示状態にして、高速ダビングの再開を待つ。このとき、ダビング待ちフォルダに格納されたダビング途中のタイトルは削除されず、またダビング待ちフォルダに格納されたダビング途中のタイトルの著作権情報は変更されない。しかしながら、ＤＶＤ上のダビング途中のタイトルは削除される。高速ダビングが再開されると、映像記録再生装置１は、ダビング待ちフォルダの中のダビング途中のタイトルのダビング（移動）を再開し、このダビング待ちフォルダの中の全てのタイトルのダビング完了（移動完了）により、このダビング待ちフォルダの中の全てのタイトルを削除し、ダビング待ちフォルダを削除する。或いは、ダビング待ちフォルダを非表示とする。
【００３２】
ここで、図５を参照して、ダビング待ちフォルダ表示／非表示処理モジュール１０４４によるダビング待ちフォルダの表示／非表示処理について説明する。例えば、リモートコントローラ１０２ａを介して、タイトルサムネイル一覧表示が指定されると、タイトルサムネイルが一覧表示される（ＳＴ４０１）。ダビング待ちフォルダ表示／非表示処理モジュール１０４４は、ダビング待ちフォルダの有無を判断し、上記したようにダビング待ちフォルダが生成されており、且つダビング待ちフォルダが削除されていなければ、ダビング待ちフォルダを表示すべきか否か判断する。
【００３３】
例えば、タイトルサムネイル一覧表示中に多数のタイトルサムネイルが含まれており、１画面で表示しきれないケースを想定する。このようなケースでは、リモートコントローラ１０２ａを介して画面スクロール操作により、全てのタイトルサムネイルを見ることができる。従って、タイトルサムネイル一覧表示中にはゴミ箱フォルダ（システムフォルダ）が含まれているが、現在表示されている１画面中にゴミ箱フォルダが含まれているとは限らない。つまり、画面スクロールを利用しないと、ゴミ箱フォルダを見ることができないケースがある。
【００３４】
そこで、ダビング待ちフォルダ表示／非表示処理モジュール１０４４は、現在表示されている１画面中にゴミ箱フォルダが含まれているか否かを判断し（ＳＴ４０２）、現在表示されている１画面中にゴミ箱フォルダが含まれていれば（ＳＴ４０２、ＹＥＳ）、ゴミ箱フォルダに隣接する位置にダビング待ちフォルダを表示し（ＳＴ４０３）、現在表示されている１画面中にゴミ箱フォルダが含まれていなければ（ＳＴ４０２、ＮＯ）、ダビング待ちフォルダを非表示とする（ＳＴ４０４）。
【００３５】
上記説明では、映像記録再生装置１が、ダビング待ちフォルダを生成し、ダビング待ちタイトルの有無を分かり易く通知するケースについて説明したが、本発明はこれに限定されるものではない。例えば、映像記録再生装置１は、以下説明する編集待ちフォルダを生成し、編集待ちタイトルの有無を分かり易く通知することもできる。
【００３６】
図７は、編集の手順を説明するとともに、編集待ちフォルダ表示画面の一例を示す図である。編集操作に対応して、リモートコントローラ１０２ａは、編集を指定するための制御信号を送信し、信号受光部１０２は、リモートコントローラ１０２ａから送信された制御信号を受信し、受信した制御信号に応じた情報を制御モジュール１０４へ通知する。これにより、制御モジュール１０４は、編集画面を表示するための表示情報をＯＳＤ制御モジュール１０７へ出力し、ＯＳＤ制御モジュール１０７は、この表示情報を合成出力処理モジュール１０９を介して、モニター２へ出力する。これにより、モニター２は、図７に示す編集画面Ｓ３１を表示する。編集画面Ｓ３１を介して、タイトルを分割したり結合したり、チャプターを分割したり結合したりすることができる。
【００３７】
例えば、編集対象タイトルの編集を中断する場合（ＳＴ５０１）、リモートコントローラ１０２ａを介してクイックメニュー表示画面Ｓ３２を表示し、クイックメニューの中から編集中断を選択する（ＳＴ５０２）。これに対応して制御モジュール１０４は、編集の中断を指示し、編集待ちフォルダを生成し、編集対象タイトルをこの編集待ちフォルダへ格納する（ＳＴ５０３）。また、制御モジュール１０４は、編集待ちフォルダの表示位置を判断し、編集待ちフォルダを所定位置へ表示する。例えば、制御モジュール１０４は、タイトル一覧とともに編集待ちフォルダを表示する。つまり、映像記録再生装置１の合成出力処理モジュール１０９は、タイトル一覧及び編集待ちフォルダを含む画面を表示するための表示情報を出力する。これにより、モニター２は、図７に示す編集待ちフォルダ表示画面Ｓ３３を表示する。例えば、この編集待ちフォルダ表示画面Ｓ３３は、システムフォルダを含む画面であり、この編集待ちフォルダ表示画面Ｓ２３の中で、編集待ちフォルダはシステムフォルダに隣接した位置に配置される。
【００３８】
リモートコントローラ１０２ａを介して、編集待ちフォルダ表示画面Ｓ２３の中の編集待ちフォルダが選択されると、これに対応して制御モジュール１０４は、編集待ちフォルダ内容画面を表示するための表示情報をＯＳＤ制御モジュール１０７へ出力し、ＯＳＤ制御モジュール１０７は、この表示情報を合成出力処理モジュール１０９を介して、モニター２へ出力する。これにより、モニター２は、図１に示す編集待ちフォルダ内容画面Ｓ３４を表示する。
【００３９】
さらに、リモートコントローラ１０２ａを介して、編集待ちフォルダ内容画面Ｓ１４の中の編集待ちタイトルの編集再開が指定されると、制御モジュール１０４は、編集待ちフォルダに格納された編集待ちタイトルの編集を再開する。そして、編集待ちフォルダに格納された全ての編集待ちタイトルの編集が終了すると、制御モジュール１０４は、編集待ちフォルダに格納された全ての編集待ちタイトルを削除し、編集待ちフォルダを消去する。或いは、制御モジュール１０４は、編集待ちフォルダを非表示に制御する。
【００４０】
以上、本実施形態によれば、レート変換ダビング後に高速ダビング（移動）が中断又は中止された場合、ダビングが完了していないタイトルの有無を分かり易くユーザに知らせることができる。同様に、タイトル又はチャプターの編集が中断又は中止された場合、編集が完了していないタイトル又はチャプターの有無を分かり易くユーザに知らせることができる。
【００４１】
なお、上記説明では、ダビング中断タイトル又はダビング中止タイトルの発生に対応して、ダビング待ちフォルダを生成するケースについて説明したが、本発明はこれだけに限定されるものではなく、例えばダビング予約によるダビング予定タイトルの発生に対応して、ダビング待ちフォルダを生成するようにしてもよい。同様に、編集予約による編集予定タイトルの発生に対応して、編集待ちフォルダを生成するようにしてもよい。
【００４２】
なお、上記したモジュールとは、ハードウェアで実現するものであっても良いし、ＣＰＵ等を使ってソフトウェアで実現するものであってもよい。
【００４３】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【符号の説明】
【００４４】
１…映像再生装置、１０１…ユーザ操作入力部、１０２…信号受光部、１０４…制御モジュール、１０５…チューナ部、１０７…ＯＳＤ制御モジュール、１０８…録画再生信号処理モジュール、１０９…合成処理モジュール、１１１…ディスクドライブ部、１１２…ハードディスクドライブ部、１０４１…ダビングモード判定モジュール、１０４２…ダビング処理モジュール、１０４３…ダビング待ちフォルダ生成モジュール、１０４４…ダビング待ちフォルダ表示／非表示処理モジュール、１０４５…ダビング待ちフォルダ表示位置判断処理モジュール、１０４６…ダビング待ちファイル格納処理モジュール
【図１】
2011034616.tif 000003
【図２】
2011034616.tif 000004
【図３Ａ】
2011034616.tif 000005
【図３Ｂ】
2011034616.tif 000006
【図３Ｃ】
2011034616.tif 000007
【図４】
2011034616.tif 000008
【図５】
2011034616.tif 000009
【図６】
2011034616.tif 000010
【図７】
2011034616.tif 000011